(57)【特許請求の範囲】
【請求項１】
不規則な底部と、内部を通る長手方向の軸線とを有する容器を支持するための円筒形の底部用カップであって、水平面上に静止するための環状の底部と、該底部から離隔した頂部と、前記長手方向の軸線から底部用カップ側壁の内側まで比較的均一な第１の半径の底部用カップ側壁であって、前記底部用カップの前記頂部と前記底部とを連結する底部用カップ側壁と、該底部用カップ側壁の内側に配置され、基端から末端まで半径方向内側へ延びる内側の係合可能な部分を含む機械的係合部を画成する内縁部とを有し、
前記係合可能な部分が、円形断面を有する前記底部用カップの底部から第２の半径で突出され、
前記第２の半径は、前記第１の半径未満であって第１の半径の少なくとも半分であり、
前記係合可能な部分は、前記長手方向の軸線と一致せず、周囲方向に互いに離間した少なくとも３つの分離したタブを含み、
前記係合可能な部分は、上方に延びる長手方向の整合タブと、前記円形断面の中心に向かう半径方向の整合タブとを含む底部用カップ。
【請求項２】
不規則な底部と、内部を通る長手方向の軸線とを有する容器を支持するための底部用カップであって、水平面上に静止するための底部と、該底部から離隔した頂部と、前記底部用カップの前記頂部と前記底部とを連結する底部用カップ側壁と、前記底部用カップ側壁の内側に配置され、基端から末端まで半径方向内側へ延びる内側の係合可能な部分を含む機械的係合部を画成する内縁部とを有し、
前記係合可能な部分が、前記底部用カップの底部から突出され、
前記底部用カップは、円形断面を有し、
前記係合可能な部分が、該内縁部と一致する基端から突出され、上方に延びる長手方向の整合タブと、前記円形断面の中心に向かう半径方向の整合タブとを含む底部用カップ。
【請求項３】
不規則な底部と、内部を通る長手方向の軸線とを有する容器を支持するための円筒形の底部用カップであって、水平面上に静止するための環状の底部と、該底部から離隔した頂部と、前記長手方向の軸線から底部用カップ側壁の内側まで比較的均一な第１の半径の底部用カップ側壁であって、前記底部用カップの前記頂部と前記底部とを連結する底部用カップ側壁と、該底部用カップ側壁の内側に配置され、基端から末端まで半径方向内側へ延びる内側の係合可能な部分を含む機械的係合部を画成する内縁部とを有し、
前記係合可能な部分が、円形断面を有する前記底部用カップの底部から第２の半径で突出され、
前記第２の半径は、前記第１の半径未満であって第１の半径の少なくとも半分であり、
前記係合可能な部分は、前記長手方向の軸線と一致せず、前記底部用カップは、該係合可能な部分に配される環状部分を有し、
前記係合可能な部分は、上方に延びる長手方向の整合タブと、前記円形断面の中心に向かう半径方向の整合タブとを含む底部用カップ。
【請求項４】
前記係合可能な部分における前記半径方向の整合タブの末端は、前記内縁部により画定される凹みを画定するように、前記底部用カップの中央に向けられる請求項３記載の底部用カップ。
【発明の詳細な説明】
【技術分野】
【０００１】
本発明は、不規則な底部を有する容器と、そのような容器のための底部用カップとに関する。
【背景技術】
【０００２】
加圧式容器は、当技術分野にて周知である。そのような容器は、多くの場合、例えばカップ、髭剃りクリーム、消臭スプレー、洗浄剤、家具用艶出し剤等の消費者製品を保持及び分配するために使用される。容器は高圧ガス、膨張可能な袋、動力ポンプ、例えば、圧搾トリガー等の手動ポンプ等を使用して、大気圧よりも大きい圧力に加圧され得る。
【０００３】
容器の内容物は、加圧された時に、容器の頂部に並置されたノズル又は他の開口部から分配され得る。例えば、容器の頂部は、通常の清涼飲料水に生じるような、ねじ付きキャップを伴うくびれを有してもよく、それにより内容物はキャップを除去した場合、簡単に容器から注がれ得る。代替的に、容器の頂部にはノズルが設けられてもよく、それにより内容物は、泡、ジェル、霧又はスプレーとして容器から分配される。様々な他のタイプの分配機構が当該技術分野にて周知である。
【０００４】
出荷、保管及び輸送中に所望の圧力を収容するために、容器の壁は、製造後、多様な温度、配向、及び使用者による取扱いを通して該圧力に耐え、かつ該圧力を維持できる必要がある。したがって、容器の壁は、圧力下での内容物の漏出、又は応力による亀裂を防止するために十分厚いものである必要がある。このことは、より厚い壁を提供することによって達成されている。しかしながら、比較的厚い壁は、材料コストの問題をもたらし、また環境に悪いと考えられている。
【０００５】
この問題を解決する一つの手法は、比較的薄い側壁と、半球形又は別様に湾曲した底部を提供することであった。半球形底部は、平らな底部よりも圧力によく耐える。
【０００６】
しかしながら、この手法は、湾曲した底部により、容器を棚又はテーブル等の水平な表面上に直立して置くことができない不都合をもたらす。そのような底部は不規則であると見なされ得る。不規則とは、そのような底部を有する直立容器が、水平な表面上に倒れずに直立することができないことを意味する。
【０００７】
この問題を克服するための当技術分野における一つの試みは、容器の半球形の底部上に底部用カップを嵌合させることを含む。底部用カップは容器周囲の周りに嵌合し、かつ平らな底部を有する。平らな底部により、底部用カップ及び該底部用カップに取付けられた容器を直立して置くことができる。
【０００８】
容器の底部に底部用カップを取付けることには、尚、それ自体の問題が存在している。
取付けのための様々な溝／突起システムが提案されている。溝／突起システムは、一般に、容器の周りに周方向の溝及び相補的な突起を提供する。溝突起システムは、一般に、例えば、容器の湾曲底部と側壁との間の接触点等の、容器の湾曲底部の近傍に配置されている。底部用カップは、容器の溝又は突起と係合する相補的な突起又は溝を有する。そのような係合は、通常の使用中、容器から底部用カップが分離することを防止する機械的嵌合を提供する。
【０００９】
係合システムを有する容器は、取扱い及び出荷中の安全を保障するために、規制当局による落下試験を通過する必要がある。係合システムは、容器と底部用カップとの間の静的取付け及び動的取付けの両方を提供するよう十分に頑丈でなければならない。
【００１０】
しかしながら、そのような係合システムには、それ自体の問題が存在する。突起と溝との間の境界は、常に滑らかな訳ではない。それにより、顕著な線又は隆起が生じ、これらは外観が悪い。この効果は、容器の周りに収縮包装フィルム又は他のラベルが配置されている場合に悪化する。外観が悪い線又は隆起は、それを隠そうとすると余計に目立ち得る。
【００１１】
この問題は、容器が加圧された場合に悪化し得る。底部用と容器との間の線は、大気条件下では比較的目立たないと思われる。しかしながら、容器が加圧された場合、膨張が生じ得る。そのような膨張は、容器と底部用カップとの噛み合う縁の間の境界にて更なる不釣合いを生じ得る。
【００１２】
この問題を解決する一つの試みは、底部用カップを容器に接着取付けすることであった。この手法は、接着剤の形成にて追加の材料コストが生じる不都合をもたらす。加えて、容器の製造と、容器に対する底部用カップの取付けとの間に、余分な製造ステップが存在する必要がある。接着剤は容器と底部用カップの一方又は両方に適用される必要があり、更なる操作と余分な機械類を必要とする。
【００１３】
更に、容器が内容物の分配にディップチューブを使用する場合、別の問題が存在する。
ディップチューブは容器の最も低い地点に配置されない場合があり、これは内容物の浪費を招く。例えば、半球形底部を有する容器が、ある角度で保持される場合、ディップチューブの底部は、容器の内容物中に浸漬されない場合がある。この問題を解決する一つの手法は、容器の底部内にウェルを配置することであった。しかしながら、この手法は、内圧に耐えるよう設計された半球形底部を有する容器では実行不可能であり得る。
【発明の概要】
【発明が解決しようとする課題】
【００１４】
したがって、薄い壁を有する容器、水平な表面上に置くことができる容器、底部用カップを使用して水平な表面上に置くことができる容器、接着取付けを必要としない底部用カップの使用、を提供する上での問題を解決する必要性、及び容器と底部用カップとの間の境界にて外観の悪い線が出現することなく、容器に対して機械的に係合する底部用カップを有する必要性が存在している。
【課題を解決するための手段】
【００１５】
一実施形態において、本発明は、機械的係合により底部用カップに取付けることができる容器を含み得る。容器は、頂部と、不規則な底部と、側壁と、容器の底部と側壁との間の接触点を有する。容器は、内部を通る長手方向の軸線と、４５°底部円錐部とを有し、該円錐部は、長手方向の軸線上にて接触点に対応する位置に配置された頂点を有し、容器の底部に向かって外側に発散している。容器を底部用カップに連結するための機械的係合部は、前記容器の底部上にて底部円錐部内の少なくとも一部に配置されている。
【００１６】
一実施形態において、本発明は、不規則な底部と、内部を通る長手方向の軸線とを有する容器を支持するための底部用カップを含み得る。底部用カップは、水平な表面上に静止するため底部と、該底部から離隔した頂部と、底部用カップの頂部と底部とを連結する底部用カップ側壁とを有する。内縁部は、底部用カップ側壁の内側に存在し、容器との係合のための機械的係合部を提供する。機械的係合部は、基端から末端に半径方向内側へ延び、それにより前記底部用カップの底部から突出されている内側の係合可能な部分を含んでもよい。
【００１７】
一実施形態において、本発明は、容器と、該容器に取付けられる底部用カップとを含み得る。容器は、不規則な底部と、容器が水平な表面上に配置された場合、見える側壁とを有してもよい。底部用カップは、容器の底部の少なくとも一部の上に嵌合し、容器を水平面に直立に座らせるようにする。機械的係合部は、底部用カップと前記容器とを連結する。機械的係合部は、容器及び底部用カップ上に配置された相補的な係合可能な部分を含んでもよく、特に、機械的係合部は容器の底部上に存在するように配置され、それにより前記容器の側壁は、底部用カップが容器に取付けられた場合、前記係合部から離れている。
【００１８】
一実施形態において、本発明は、容器と、該容器に取付けられる底部用カップとを含み得る。容器は、不規則な底部と、容器が水平な表面上に配置された場合、見える側壁とを有してもよい。底部用カップは、容器の底部の少なくとも一部に嵌合し、容器を水平面に直立に座らせるようにする。容器及び底部用カップは整合タブを有してもよく、該整合タブは一緒に嵌合し、一方の構成要素の他方に対する反力を提供して、これらの構成要素が係合された場合、該構成要素を適切な位置に維持する助けをする。
【００１９】
一実施形態において、本発明は、容器と、該容器に取付けられる底部用カップとを含み得る。容器は、不規則な底部と、容器が水平な表面上に配置された場合、見える側壁とを有してもよい。底部用カップは、容器の底部の少なくとも一部の上に嵌合し、容器を水平面に直立に座らせるようにする。容器の底部は湾曲していてもよく、特に半球形であってもよい。ウェルは、容器の底部と並置されていてもよい。底部用カップは側壁を有し、該側壁は接触点において容器を遮る。
【図面の簡単な説明】
【００２０】
【図１】本発明による容器及び底部用カップの分解斜視図。
【図２Ａ】長手方向の整合を有する図１の容器及び底部用カップの断片垂直断面図。図２Ａは、底部に孔を有する底部用カップを示す。図２Ｂは、中実の底部を有する底部用カップを示す。
【図２Ｂ】長手方向の整合を有する図１の容器及び底部用カップの断片垂直断面図。図２Ａは、底部に孔を有する底部用カップを示す。図２Ｂは、中実の底部を有する底部用カップを示す。
【図３Ａ】各々、図２Ａ及び図２Ｂの容器及び底部用カップの係合状況を示す垂直断面図。
【図３Ｂ】各々、図２Ａ及び図２Ｂの容器及び底部用カップの係合状況を示す垂直断面図。
【図４】各々、長手方向及び半径方向に力を適用するための、長手方向の整合タブと、４つの分離した半径方向の整合タブとを有する代替的な底部用カップの頂面図。
【発明を実施するための形態】
【００２１】
図１を参照すると、本発明は、容器１０、より詳細には、容器１０の底部部分を含む。
容器１０は、表面上に間接的に静止するための底部１２、容器１０の内容物を容器から分配するための頂部１６、及び底部１２と頂部１６とを連結する側壁１４を有する。容器１０は、底部１２と頂部１６とを通る長手方向の軸線を有し得る。長手方向の軸線は、容器１０が水平な表面上に配置された場合に、概ね鉛直であり得る。容器１０は、相補的な底部用カップ２０に連結されて、表面上に静止することができる。
【００２２】
図２Ａ及び図２Ｂを参照し、構成要素をより詳細に考察すると、容器１０の底部１２は、不規則であってもよく、容器１０は水平な表面上に直立することができない。容器１０の底部１２は、偏心の、傾斜した、テーパ形状の、湾曲した、より特には図示するような半球形であってもよい。本明細書で使用されるように、不規則な底部１２は、容器１０の長手方向の軸線と垂直な実質的な断面を有さず、容器１０が水平な表面上に配置された場合、容器１０が底部１２上にて直立できない任意の底部１２である。テーパ形状の底部１２は、側壁１４から容器１０の底部１２に接近するにつれ、長手方向にて断面が減少する底部１２である。湾曲した底部１２は、曲線をなすテーパ形状の底部１２である。不規則な底部１２は、当技術分野にて周知のシャンパン底部又はペタロイド底部を含まない。
【００２３】
容器１０の頂部１６は、頂部と並置された任意の分配開口部を有していてもよく、該開口部は容器１０の内容物を分配することができる。開口部は更に、容器１０を内容物で満たすことができ得る。開口部は、長手方向の軸線が鉛直の場合、特に容器１０の最高点である頂部１６に配置され得る。代替的に、開口部は、容器１０の底部１２から好適な距離の側壁１４内に、又はその近傍に配置されてもよい。所望であれば、容器１０の開口部は、容器１０の底部１２に、又は底部１２の近傍に配置されてもよい。この配置は、加圧しない場合であっても、内容物が排出され得る利益を提供する。加えて、そのような構成は、通常の位置と反転されて美的外観を有することもできる。
【００２４】
容器１０の開口部は、例えば、ねじ蓋、スナップ蓋又は当該技術分野で周知の他の閉鎖具等により閉鎖される単純な穴であってもよい。代替的に、開口部は、例えば液体内容物を容器１０から噴霧するのに使用されるようなノズルであってもよい。容器１０から内容物を加圧して噴霧し又は別様に分配することは、当該技術分野において周知のように、例えば、トリガー噴霧器、高圧ガス、ガス、加圧内部袋（pressurized internal bag）、電池又はＡＣ電力等のポンプにより提供することができる。勿論、開口部が単に露出された場合、内容物は容器１０から注ぐことにより分配することができる。
【００２５】
容器１０の側壁１４は、容器１０の頂部１６と底部１２を連結する任意の好適な断面を提供し得る。側壁１４は容器１０の断面を画定してもよく、該断面は長手方向の軸線と垂直であってもよい。所望であれば、容器１０の側壁１４は、長手方向に垂直な半径方向と比較して長手方向において長い形状を提供してもよい。
【００２６】
容器１０は、図示されるように、一定の断面を有してもよい。更に、容器１０は、図示されるように円形の断面を有して、略円筒形の形状を提供してもよい。代替的に、矩形、楕円形等を含む様々な他の断面を使用することができる。尚、他の変形において、容器１０は、角錐状（pramoidal）に単調にテーパ付けされた好適な断面を含む様々な断面を有していてもよい。容器１０の側壁１４と底部１２は、特定の裂け目が識別できるよう接触点４６で接していてもよく、又は、側壁１４と底部１２は輪郭に沿った遷移部を有していてもよい。
【００２７】
容器１０は、当該技術分野において公知のように任意のポリオレフィン材料からブロー成形されてもよく、又はＰＥＴ、ＰＶＡ、ＰＥＮ、ナイロンを含むリサイクル及び／若しくは未使用の材料の積層構造から形成されてもよく、又はガラス若しくは金属若しくはそれらの任意の組み合わせから形成されてもよい。容器１０は炭素、シリカ又は他の皮膜で被覆されて、放散／浸透遮蔽物を提供してもよい。
【００２８】
底部用カップ２０は、容器１０を水平な表面上に直立させるよう容器１０に取付け可能な、より詳細には容器１０の底部１２に取付け可能であり得る任意の部材からなる。底部用カップ２０は、容器１０と別々に形成される任意の部材からなっていてもよく、容器１０の不規則底部１２と、その上に容器１０が配置される表面との間の遷移部を提供する。テーパ形状の底部１２を有する容器１０の特定のケースでは、底部用カップ２０は、底部１２を囲んで該底部を視界から部分的に覆い隠すことができる。
【００２９】
底部用カップ２０は、底部２２を有していてもよい。底部用カップ２０の底部２２は、
容器１０の断面と平行であり、かつ長手方向の軸線と垂直であってもよい。底部用カップ２０の底部２２は、図２Ａ及び図２Ｂに示されるように、底部を貫通する孔を有し、又は中実であってもよい。
【００３０】
底部用カップの側壁２４は、底部用カップ２０の底部２２から上方に延びていてもよい。底部用カップの側壁２４の長手方向寸法、又は底部用カップ２０の断面寸法のいずれかは、他方より大きくてもよい。
【００３１】
底部用カップ２０は、双方が円形の断面を有する場合、容器１０と同心であってもよく、及び／又は、底部用カップ２０又は容器１０のいずれかに異なる断面が選択された場合、合同であってもよい。底部用カップ２０と容器１０は、それらの間の取付けが実行可能である限り、同一又は異なる断面を有してもよい。
【００３２】
容器１０の側壁１４及び／又は底部用カップ２０の側壁２４は、容器１０がその内容物で満たされた場合、及び／又は加圧された場合、圧力下で半径方向に膨張してもよい。本発明の容器１０及び底部用カップ２０は、飲料産業において生じるような２０，０００〜２５，０００ｋｓｍの範囲の圧力で使用可能である。容器１０及び底部用カップ２０は、８０，０００、９０，０００又は１００，０００ｋｓｍ、２００，０００、１２０，０００又は１１０，０００ｋｓｍ迄の範囲のより高い圧力で有利に使用可能である。
【００３３】
底部用カップ２０と容器１０、特に容器１０の底部１２とを連結するために、機械的係合部３０が提供され得る。機械的係合部３０は、底部用カップ２０と容器１０上に相補的な係合可能な部分３２を提供し得る。機械的係合部３０は、底部用カップ２０と容器１０との永久の又は取外し可能な取付けを提供し得る。この構成により、２部品システム、即ち、接着剤等の更なる構成要素、又は容器１０と底部用カップ２０との間に取付けを提供する他の第三の構成要素、又は容器１０と底部用カップ２０とを一緒に保持するのに必要な別の方法を必要としないで、互いに取付け可能であり、意図される耐用年数及び使用の間、互いに取付けられた状態を維持する容器１０と底部用カップ２０が提供される。
【００３４】
図３Ａ及び図３Ｂを参照すると、機械的係合部３０は、摩擦嵌め、インターロック係合、スナップ嵌め、締り嵌め等を介して底部用カップ２０と容器１０の取付けを提供し得る。機械的係合部３０は、底部用カップ２０と容器１０とを、容器１０の意図される耐用年数の間、意図される並列位置に維持する任意の好適な構造を含むことができる。好適な機械的係合部３０の一つは、容器１０と底部用カップ２０上の相補的な係合可能な部分３２を含む。好適な相補的な係合可能な部分３２は、突起３４と相補的な凹み３５とを含む。凹み３５は、溝の形態であってもよい。溝又は突起３４のいずれかが底部用カップ２０又は容器１０上に配置されてもよく、又は逆も可能である。
【００３５】
図示されるように、突起３４は容器１０に、及び凹み３５は底部用カップ２０に配置されていてもよく、又は逆も可能である。機械的係合部３０は、長手方向の軸線の周囲の全３６０°にわたっていてもよく、又はより短い孤にわたっていてもよい。複数の機械的係合部３０が連続的に使用されてもよく、即ち異なる長手方向位置を有していてもよく、平行して、即ち異なる半径方向又は周囲方向位置を有していてもよく、又はその両方であってもよい。
【００３６】
機械的係合部３０は、容器１０の側壁に係合しない位置に配置され得る。この構成は、
加圧／減圧、落下衝撃、温度変化等を原因とする取付け点／線における動きを最小にする。しかしながら、側壁１４を回避する全ての位置が、等しく良好に機能することは期待されない。
【００３７】
図２Ａ及び図２Ｂに戻って参照すると、機械的係合部３０は、容器１０の底部円錐部４０内に配置されてもよい。底部円錐部４０は、その頂点４２が容器１０の長手方向の軸線上に配置された直円錐部として定義され、円錐部の軸は容器１０の長手方向の軸線と一致する。円錐部の底部は、長手方向の軸線に垂直であり、かつ容器１０の断面と平行な円である。
【００３８】
底部円錐部４０のテーパは、容器１０の底部１２及び／または底部用カップ２０に向かって外側へ末広がりしている。テーパの角度は、長手方向の軸線と円錐部の側部との間で４５°であってもよく（円錐部の反対側間の角度を含むと９０°）、この角度は、テーパの４０°、３５°、３０°及び２５°の各角度を包含する。
【００３９】
底部円錐部４０の頂点４２は、接触点４６の高さに、及び該接触点４６に対応して配置され、該接触点において容器１０の側壁は底部１２へ広がり、またはテーパ付けされている。底部円錐部４０の底部は、底部用カップ２０が容器１０に取付けられた場合、底部用カップ２０の底部２２と対応する。容器１０／底部１２が複数の接触点を有する場合、最上の、最下の、または任意の中間の接触点が考慮され得る。最下接触点を考慮することによって、底部用カップ２０を容器１０の底部１２に係合させるのに必要である嵌合が複雑でなくなる場合があるという利益が発生する。
【００４０】
機械的係合部３０を底部円錐部４０内に配置することによって、底部用カップ２０上での落下衝撃中に容器１０と底部用カップ２０とを一緒に保持する力と、容器１０の側壁と底部用カップ２０との間の境界における半径方向の膨張差の原因となる力の競合する両方の力が収容されると思われる。先行技術において力は競合すると考えられ、これは半径方向の膨張が生じるにつれ機械的係合部３０はより堅固となるが、落下衝撃中に伝達される力は半径方向の膨張方向に伝達され、離脱を招くためである。
【００４１】
機械的係合部３０は、突起３４を有する容器１０と一体的にブロー成形されてもよく、
突起３４の壁厚は、容器１０の底部１２の壁厚よりも大きい。この厚さの相違は、製造中に突起３４から不足する材料があれば、この場合に対処する利益を提供する。
【００４２】
所望であれば、ウェル７０は容器１０の底部１２と並置されてもよい。ウェル７０は、
内部にディップチューブの末端部を受容してもよい。ウェル７０は、一般に、分配される容器１０の一定量の内容物を保持する。そのような内容物は、容器１０が鉛直から僅かな角度で傾斜された場合でも、ウェル７０内に配置され得る。ウェル７０内にディップチューブの末端部と容器の内容物との両方を受容することにより、高圧ガスが涸渇した場合、残留する内容物が減少し、分配は容器１０がある角度に傾斜された場合継続し得る。
【００４３】
ウェル７０は湾曲した底部１２内の分裂部であり、単に湾曲の最も低い点を表しているわけではないことを認識するべきである。代わりに、ウェル７０は、湾曲が連続的で途切れない場合には存在しない追加の容積を表す。所望であれば、ウェル７０は、容器１０の底部１２から離間した該底部と合同な湾曲を有してもよい。
【００４４】
再度、図３Ａ及び図３Ｂを参照すると、突起３４及び凹み３５は、スナップ嵌めにて互いに嵌合してもよく、該スナップ嵌めは、係合を可能とするが、後の離脱または分離を可能としない。代替的に、突起３４及び凹み３５は互いに嵌合し、かつ相補的な係合可能な部分３２を互いに嵌合させた工程の逆の動きにより離脱可能であってもよい。
【００４５】
突起３４及び／または凹み３５のいずれかは、３６０°にわたり得る。この構成は、応力を機械的係合部の周囲全体に最大に分配する利益を提供する。
【００４６】
図４を参照すると、代替的に、突起３４及び、または凹み３５は、１２０°にて配置された３つのタブ、９０°にて配置された４つのタブ等を含んでいてもよい。この構成は、タブの形成に使用される材料が低下する利益を提供する。
【００４７】
図２Ａ〜図２Ｂに戻って参照すると、凹み３５は、図示されるように、非貫通孔または貫通孔を含んでいてもよい。非貫通孔は、底部用カップ２０の底部２２に屑が入り込み捕捉された状態となることを防止する利益を提供する。容器１０が洗浄剤で生じ得るように台所で使用される場合、屑は、後に腐り得る食物粒子を含む可能性がある。貫通孔は、凹み３５及び底部用カップ２０の形成に必要な材料が低下される利益を提供する。また貫通孔は、底部用カップ２０または容器１０のいずれかに幾分か偏心が存在する場合、より許容性が高いと思われる。
【００４８】
より詳細には、底部用カップ２０を参照すると、凹み３５は底部用カップ２０の内縁部２８により画定され得る。底部用カップ２０の係合可能な部分３２は、底部用カップ２０の内縁部２８から半径方向内側へ延びていてもよい。より詳細には、係合可能な部分３２は、内縁部２８における基端から突出されて内側に延びていてもよく、即ち、基端から離間した末端へ長手方向の軸線に向かって延びていてもよい。係合可能な部分３２の末端は凹み３５を画定し、容器１０の底部１２の係合可能な部分３２（例えば、突起３４等）と係合することができる。
【００４９】
図３Ａ及び図３Ｂを参照すると、底部用カップ２０の係合可能な部分３２は、底部用カップ２０の底部２２から突出されていてもよい。この構成は、容器１０との係合により発生する反作用が、底部用カップ側壁２４の形状を変え、または該壁面を移動させない利益を提供する。したがって、底部用カップ側壁２４は、周方向応力及び他の応力から比較的離れている。応力から比較的離れていることにより、底部用カップ側壁２４は容器１０の側壁との境界にてより滑らかな遷移部を有することができる。より滑らかな遷移部は、特に容器１０及び底部用カップ２０にラベルが付けられた場合、より審美的に心地よい外観の利益を提供する。
【００５０】
係合可能な部分３２は、図示されるように、底部用カップ２０の底部２２から対角線上に内側に延び、次に上方に延びていてもよい。この形状は、より大きい断面係数と、それによる長手方向、特に長手方向の圧縮方向におけるより高い剛性との利益を提供する。代替的に、係合可能な部分３２は、底部用カップ２０の底部２２から対角線上内側に、かつ上方に延びていてもよい。この形状は、より短い係合可能な部分３２が生じ、係合可能な部分３２の形成に使用される材料が低下する利益を提供する。
【００５１】
凹み３５内に挿入される突起３４は、長手方向の寸法と、該寸法に直交する半径方向の寸法とを有し得る。半径方向の寸法は、長手方向の寸法よりも大きくてもよい。これは比較的長手方向にコンパクトな構造の利益を提供する。このような構造は、底部用カップ２０の頂部２６に存在する境界と、容器１０の側壁とを底部用カップ２０の底部２２により接近させて配置し、この境界の審美的影響を潜在的に低減する。
【００５２】
所望であれば、底部用カップ２０はモジュール構造を有してもよい。モジュール構造において、底部用カップ２０の底部２２は、底部用カップ側壁２４とは異なる一種またはそれ以上の材料から形成されてもよい。このモジュール構造は、底部２２がより安価な材料から形成され得る利益を提供し、これは一般に使用中または商品棚上で包装が見られている間は底部２２が見えないためである。加えて、底部２２は、比較的頑丈な材料から形成されてもよく、その期待耐用年数を通してその係合可能な部分３２を維持するに好適である。底部２２には、対応する容器１０の係合可能な部分３２に相補的であるように、様々な寸法の突起３４または凹み３５を設けることができる。
【００５３】
底部用カップ２０の側壁２４は、異なる美しさを提供するために、または異なる寸法を有する容器１０の底部１２を収容するために、様々な色、質感、寸法等にて形成されることができる。底部２０の側壁２４と底部２２とは、当技術分野にて周知のように、接着剤、音波または超音波溶着、摩擦溶着、スナップ嵌め等により連結することができる。
【００５４】
底部用カップ２０は、射出成形されてもよい。射出成形される場合、射出成形工程中、材料供給に使用されるゲートの一定の配置を避けることが望ましいと思われる。例えば、
係合可能な部分３２、特に底部用カップ２０の係合可能な部分３２の末端上にゲートを配置することにより、係合可能な部分３２の早期亀裂が生じ得る。この現象は、そのようなゲートの配置に関連した冷却の違いを原因とすると思われる。容器１０及び／または底部用カップ２０のいずれかまたは両方は、透明、半透明または不透明であってもよい。
【００５５】
図４を参照すると、底部用カップ２０は、ポリエチレン等のポリオレフィン材料を含んでいてもよい。代替的に、底部用カップ２０は、金属、木または堅い紙から形成されていてもよい。
【００５６】
底部用カップ２０は、整合タブ６０を有してもよい。整合タブ６０は底部に配置され、
または底部に対抗して作用して、機械的係合部３０上に力を付与する任意の部材である。
力は、容器１０と底部用カップ２０が係合された場合、半径方向及び／または長手方向に適用され得る。整合タブ６０は、弾性的にまたは塑性的に変形可能であってもよい。そのような変形は、組み立て中、及び容器１０と底部用カップ２０との取付け中に生じ得る。
【００５７】
整合タブ６０は、底部用カップ２０と容器１０の底部１２との間に、しっかり固定した嵌合を提供する。整合タブ６０は、これらの構成要素間に力を付与して、ガタつき及び緩い嵌合を防止する。このことは、包装物がより高い品質のものであると知覚される利益を提供する。
【００５８】
弾性的に変形可能な整合タブ６０が選択された場合、整合タブ６０は機械的係合部３０を構成する突起３４と凹み３５の壁よりも高い可撓性を有し得る。このような可撓性は、機械的係合部３０を形成する材料と比較して高いコンプライアンスを有する材料を使用することにより、及び／または比較的薄い壁部分を使用してそのような整合タブ６０の断面係数を低減することにより提供され得る。整合タブ６０の好適な材料は、ＴＰＥを含む。
【００５９】
整合タブ６０は、底部用カップ２０、特に底部用カップ２０の底部２２から突出されていてもよい。整合タブ６０は、基端から末端へ軸線に沿ってテーパ形状になっていてもよい。このテーパ形状は、長手方向の軸線全体においてテーパ形状に垂直となる方向に変動するばね定数を提供し、該ばね定数は、基端に接近するにつれ増大する。そのような変動するばね定数は、嵌合及び整合における差異を収容し得る利益を提供する。
【００６０】
長手方向の整合タブ６２は、長手方向の軸線と平行なベクトル成分を伴って延びていてもよい。退歩したケースでは、長手方向の整合タブ６２は、長手方向の軸線と平行であってもよい。半径方向の整合タブ６４は、長手方向の軸線に向かって内側に延びていてもよい。勿論、当業者は整合タブ６０によって力が半径方向または長手方向に平行ではなく、代わりに半径方向または長手方向に対して斜めの方向である他の方向へも付与されることを認識するであろう。
【００６１】
整合タブ６０の基端は、底部用カップ２０の底部２２または側壁２４と連結されていてもよい。半径方向の整合タブ６４の末端は、突起３４、特に突起３４内の任意の内部角部若しくは環状溝と係合しまたは遮ってもよい。このことは、整合タブ６０の末端が、出荷及び取扱い中に外れた状態となる可能性を低下させる。
【００６２】
長手方向の整合タブ６２の末端は、容器１０の底部１２を遮り得る。これは容器１０の底部１２に垂直な力を提供し、半球形底部１２を有する容器１０の場合、半径方向内側の力も付与する。長手方向の整合タブ６２（または半径方向の整合タブ６４）が機械的係合部３０を囲んでいる場合、半径方向に対向する同等の力が適用されて、同心の維持を補助する。したがって、整合タブ６０は部品間の製作公差と不釣り合いを収容し得る利益を提供する。
【００６３】
整合タブ６０が弾性的に変形可能な場合、整合タブはばねとして作用して、比較的一定の力を機械的係合部３０に適用することができる。整合タブ６０が組み立て中に可塑的に変形する場合、整合タブは機械的係合部３０内に固有の間隙空間を満たし、変形しない場合に間隙空間内で構成要素間に生じる動きが低減される。
【００６４】
当業者は、整合タブ６０が、突起３４からまたは容器１０の底部１２の他の箇所から突出されてもよいことを認識するであろう。この構成において、整合タブ６０の末端は、底部用カップ側壁２４の内側、及び／または底部用カップ２０の底部２２を遮るであろう。更に、整合タブ６０は長手方向の軸線の周囲にて等間隔で及び／または異なる間隔で離間されてもよく、また連続または不連続、即ち分離していてもよい。更に、長手方向の整合タブ６２及び半径方向の整合タブ６４は、同等の力を適用しても、または他よりも大きい、若しくは小さい力を適用してもよい。
【００６５】
底部用カップ２０を容器１０に対して組み立てた後、底部用カップ２０及び／または容器１０のいずれかまたは両方が、様々なラベル、図画、宣伝、使用説明書及び他のしるしで装飾され得る。この装飾は、印刷、接着取付けされたラベル、収縮包装フィルムのラベル等により達成され得る。しるしが容器１０と底部用カップ２０との間で長手方向（鉛直）寸法を架橋する場合、しるしは容器１０と底部用カップ２０の両方の外部に配置され得る。この配置は、包装物が商品棚上に存在する時、図画がより大きく見え得る利益を提供する。代替的に、しるしは容器１０の外部に配置され、底部用カップ２０の内部にしまい込まれてもよい。この配置は、しるしの底部が正確に切り整えられていない場合、しるしが底部により覆われる利益を提供する。加えて、特定の色の底部用カップ２０を有することが所望される場合、そのような底部用カップ２０は、しるしにより覆われないであろう。
【００６６】
容器１０は、任意の好適な内容物を保持、保管及び分配するよう使用されてもよい。内容物は、消費者製品としてまたは別様に有用であり得る。例えば、内容物は洗浄製品、消臭スプレー、消毒剤、皮膚に対する局所適用剤、家具用艶出し剤等として使用され得る。内容物が家具用艶出し剤として木表面に使用される場合、容器１０は艶出しアルミニウム、または艶出しアルミニウムの外観を有する他の材料から形成されてもよい。そのような容器１０は、内部の家具用艶出し剤の意図される用途を示すよう上部に木のしるしを有してもよい。この組み合わせは、上部に暖かく見える木のしるしを有する現代調の容器１０の利益を有利に提供する。
【００６７】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【００６８】
「発明を実施するための形態」で引用したすべての文献は、関連部分において本明細書に参考として組み込まれるが、いずれの文献の引用も、それが本発明に対する先行技術であることを容認するものと解釈されるべきではない。本書における用語のいずれかの意味または定義が、参考として組み込まれた文献における同一の用語のいずれかの意味または定義と相反する限りにおいては、本書においてその用語に与えられた意味または定義が適用されるものとする。
【００６９】
以上、本発明の特定の実施形態を図示、説明したが、本発明の趣旨及び範囲から逸脱することなく他の様々な変更及び改変を行うことが可能である点は当業者には自明であろう。したがって、本発明の範囲内にあるそのような全ての変更及び修正を、添付の特許請求の範囲で扱うものとする。
【図１】
0005956651.tif 000002
【図２Ａ】
0005956651.tif 000003
【図２Ｂ】
0005956651.tif 000004
【図３Ａ】
0005956651.tif 000005
【図３Ｂ】
0005956651.tif 000006
【図４】
0005956651.tif 000007